(57)【要約】【課題】  安全性の高い施解錠システムを提供する。【解決手段】  玄関扉３に適用され、住人が所持する携帯機５と、携帯機５と交信する制御装置９と、制御装置９に接続される操作部１３と、扉３に設けられる電気錠１７とを備えて構成される。操作部１３は、静電容量式タッチスイッチにより構成され、９つのタッチスイッチ部６７が設けられている。室外側から解錠するには、複数のタッチスイッチ部６７を操作して解錠コードを入力して認証成立された後、所持する携帯機５から発信されるＩＤコードが認証成立となる必要がある。【選択図】  図１
2015212481.tif 000002
【特許請求の範囲】
【請求項１】
扉に設けられる錠を施解錠させる施解錠システムであって、
ＩＤコードを発信する携帯機と、
この携帯機と交信する制御装置と、
前記制御装置と接続されて室外側に設けられ、２つ以上のスイッチ部を有する操作部とを備え、
前記制御装置は、前記操作部により入力された解錠用暗証情報の認証成立と、前記携帯機から受信したＩＤコードの認証成立により解錠し、
前記解錠用暗証情報は、前記操作部の所定順序のタッチ操作により入力される
ことを特徴とする施解錠システム。
【請求項２】
前記解錠用暗証情報は、前記操作部をなぞる一連の操作により入力される
ことを特徴とする請求項１に記載の施解錠システム。
【請求項３】
前記操作部は、静電容量式タッチスイッチとされる
ことを特徴とする請求項１または請求項２に記載の施解錠システム。
【請求項４】
前記操作部は、扉に取り付けられたハンドルの裏側に設けられる
ことを特徴とする請求項１から請求項３までのいずれかに記載の施解錠システム。
【発明の詳細な説明】
【技術分野】
【０００１】
本発明は、マンションなどの住戸、戸建、およびオフィスなどの扉に取り付けられる錠を施解錠する施解錠システムに関するものである。
【背景技術】
【０００２】
近年、マンションなどの住戸において、鍵を使用することなく、玄関扉の錠を施解錠する施解錠システムが採用される場合がある。従来、この施解錠システムが採用されている場合、扉の外側に、たとえば、施錠ボタンと解錠ボタンの２つのボタンが設けられている。
【０００３】
また、住人は、携帯機を所持して外出することになり、帰宅した際、携帯機と室内側に設けられた制御装置とが交信し、制御装置は、携帯機から発信される固有のＩＤコードを認証し、住人であることを確認する。そして、住人が、扉に設けられた解錠ボタンを押すことで、解錠することができ、扉を開けて室内に入ることができる。このように、鍵をカバンなどから出す必要がなく、施解錠がスムーズである。
【発明の概要】
【発明が解決しようとする課題】
【０００４】
ところで、携帯機を所持し、帰宅した住人が室内側で玄関の近傍にいる状態では、携帯機と制御装置とが交信しており、この状態でたとえば第三者が、室外側に設けられた解錠ボタンを押すことで解錠されて室内に入られるおそれがある。
【０００５】
本発明が解決しようとする課題は、上記のような状態の場合でも携帯機を所持していない第三者の不正侵入を確実に防止することが可能なセキュリティ性の高い施解錠システムを提供することにある。
【課題を解決するための手段】
【０００６】
本発明は、前記課題を解決するためになされたもので、請求項１に記載の発明は、扉に設けられる錠を施解錠させる施解錠システムであって、ＩＤコードを発信する携帯機と、この携帯機と交信する制御装置と、前記制御装置と接続されて室外側に設けられ、２つ以上のスイッチ部を有する操作部とを備え、前記制御装置は、前記操作部により入力された解錠用暗証情報の認証成立と、前記携帯機から受信したＩＤコードの認証成立により解錠し、前記解錠用暗証情報は、前記操作部の所定順序のタッチ操作により入力されることを特徴とする施解錠システムである。
【０００７】
請求項２に記載の発明は、前記解錠用暗証情報は、前記操作部をなぞる一連の操作により入力されることを特徴とする請求項１に記載の施解錠システムである。
【０００８】
請求項３に記載の発明は、前記操作部は、静電容量式タッチスイッチとされることを特徴とする請求項１または請求項２に記載の施解錠システムである。
【０００９】
さらに、請求項４に記載の発明は、前記操作部は、扉に取り付けられたハンドルの裏側に設けられることを特徴とする請求項１から請求項３までのいずれかに記載の施解錠システムである。
【発明の効果】
【００１０】
本発明によれば、セキュリティ性の高い施解錠システムを提供することができる。
【図面の簡単な説明】
【００１１】
【図１】本発明の施解錠システムの一実施例を示す図であり、玄関扉に適用された状態を示す概略図である。
【図２】図１の施解錠システムのブロック図である。
【図３】操作部を示す図であり、（ａ）はアクリル板を外した状態を示す正面図、（ｂ）は概略断面図である。
【図４】解錠する際の制御装置の動作を示すフローチャートである。
【図５】操作部を操作して解錠する場合の説明図である。
【図６】施錠する際の制御装置の動作を示すフローチャートである。
【図７】操作部を操作して施錠する場合の説明図である。
【発明を実施するための形態】
【００１２】
以下、本発明の施解錠システムの一実施例を図面に基づいて具体的に説明する。
【００１３】
図１は、本発明の施解錠システムの一実施例を示す図であり、玄関扉に適用された状態を示す概略図である。図２は、図１の施解錠システムのブロック図である。
【００１４】
本実施例の施解錠システムは、住宅の玄関扉３に適用され、住人が所持する携帯機５と、この携帯機５と交信する制御装置９と、この制御装置９に接続される操作部１３と、扉３に設けられる電気錠１７と、を主要部に備えて構成される。
【００１５】
携帯機５は、全体制御を司るＣＰＵ２１を備え、このＣＰＵ２１には、ＩＤコードを格納するＩＤコード格納部２３、および送受信部２５が接続されている。送受信部２５は、携帯機５に設けられたアンテナ２７により制御装置９と無線で交信する。
【００１６】
本実施例では、玄関扉３は、開き戸とされ、扉３の室外側および室内側にはプッシュ・プル式のハンドル３１がそれぞれ取り付けられている。ハンドル３１の押し操作または引き操作により、扉３から突出するラッチ（不図示）を後退あるいは後退を許容させて扉３を開けることができる。また、扉３には電気錠１７が内蔵されており、この電気錠１７には、進退可能にデッドボルト３５が設けられている。このデッドボルト３５を進退させることで、扉３の施解錠がなされる。
【００１７】
本実施例では、制御装置９は、扉３内に設けられる。
制御装置９は、全体制御を司るＣＰＵ４１を備え、このＣＰＵ４１には、送受信部４３、ＩＤコードを格納するＩＤコード格納部４５、解錠コードを格納する解錠コード格納部４７、施錠コードを格納する施錠コード格納部４９、操作部１３の入力を検出する操作検出部５１、携帯機５から送られてくるＩＤコード、および操作部１３に入力される解錠コードや施錠コードの正否を判定する認証部５３、および電気錠１７を駆動させる駆動部５７が接続されている。
【００１８】
図３は、操作部１３を示す図であり、（ａ）はアクリル板を外した状態を示す正面図、（ｂ）は概略断面図である。
【００１９】
本実施例では、操作部１３は、室外側ハンドル３１の正面側に取り付けられている。操作部１３は、静電容量式タッチスイッチにより構成される。静電容量式タッチスイッチは、基板６１上にセンサ入力端子（Ｃｉｎ）６３が設けられ、このセンサ入力端子６３を囲うようにセンサ駆動端子（Ｃｄｒｖ）６５が設けられて、１つのタッチスイッチ部６７が構成される。本実施例では、矩形状の基板６１に、９つのタッチスイッチ部６７が設けられている。また、基板６１上には、基板６１と隙間を開けてアクリル板７１が取り付けられている。
【００２０】
本実施例では、９つのタッチスイッチ部６７は、３つずつ上下３段に配置されている。つまり、９つのタッチスイッチ部６７は、３列×３行で配置されている。
【００２１】
本実施例では、９つのタッチスイッチ部６７には、それぞれ１〜９の数字が割り当てられている。具体的には、アクリル板７１には、上段の３つのタッチスイッチ部６７，６７，６７に対応した位置に、１，２，３の数字が付され、中段の３つのタッチスイッチ部６７，６７，６７に対応した位置に、４、５、６の数字が付され、下段の３つのタッチスイッチ部６７，６７，６７に対応した位置に、７、８、９の数字が付されている。
【００２２】
本実施例では、センサ入力端子６３とセンサ駆動端子６５とを同時に触れるように、アクリル板７１に触れることで、静電容量変化が生じ、この静電容量変化を操作検出部５１が検出することで、どの数字の付されたタッチスイッチ部６７が操作されたかを制御装置９が認識する。
【００２３】
解錠コード格納部４７には、解錠コード（解錠用暗証情報）が格納されており、施錠コード格納部４９には、施錠コードが格納されている。本実施例では、解錠コードは、たとえば「７，８，９，６，３」とされ、施錠コードは、たとえば「３，２，１，４，７」とされる。
【００２４】
次に、施錠状態から解錠する際の制御装置９の動作について説明する。
図４は、施錠状態から解錠する際の動作を示すフローチャートである。
図５は、操作部を操作して解錠する場合の説明図である。
【００２５】
まず、制御装置９は、扉が閉鎖され施錠された状態では、待機状態（解錠コード入力待ち状態）とされる。
【００２６】
携帯機５を所持した住人は、帰宅した際、室外側ハンドル３１に設けられた操作部１３を操作して、解錠コードを入力する（Ｓ１）。
本実施例では、操作部１３の９つのタッチスイッチ部６７の内、「７，８，９，６，３」の数字を付された各タッチスイッチ部６７を、指をスライドさせて順に触れてなぞることで、５桁の解錠コードを入力することができる。
【００２７】
解錠コードが操作部１３により入力され、制御装置９の操作検出部５１が解錠コードを検出すると、制御装置９の認証部５３は、その解錠コードが解錠コード格納部４７の解錠コードと一致するか否かを判定する（Ｓ２）。認証部５３が、解錠コードが間違っていると判定した場合には、制御装置９は、待機状態に戻る。
【００２８】
操作部１３により入力された解錠コードが、解錠コード格納部４７に格納された解錠コードと一致すると認証部５３が判定した場合、制御装置９は、送受信部４３により、ＩＤコード情報要求信号を発信する（Ｓ３）。なお、制御装置９の送受信部４３にはアンテナ７５が接続されている。
【００２９】
携帯機５は、送受信部２５にてＩＤコード情報要求信号を受信した後、携帯機５のＣＰＵ２１は、ＩＤコード情報要求信号に対して、送受信部２５により自己のＩＤコード格納部２３に格納されたＩＤコードを発信する。
【００３０】
制御装置９は、携帯機５からのＩＤコードを送受信部４３にて受信する（Ｓ４）。
制御装置９の認証部５３は、受信したＩＤコードが、ＩＤコード格納部４５に格納されているＩＤコードと一致するか否かを判定する（Ｓ５）。
【００３１】
受信したＩＤコードが、ＩＤコード格納部４５に格納されているＩＤコードと一致すると認証部５３が判定した場合、制御装置９の駆動部５７は、電気錠１７に内蔵されたソレノイドやモータなどを駆動させてデッドボルト３５を後退させて解錠する（Ｓ６）。
ＩＤコードが一致しない場合、および携帯機５からの応答がない場合には、操作部１３の操作は無効とされて、施錠状態が維持されて待機状態へ戻る。
【００３２】
このように、本実施例では、携帯機５を所持した住人が、操作部１３を操作して解錠コードを入力することで、解錠して住宅内に入ることができる。住宅内に入った住人は、室内側に設けられたサムターンを操作することで施錠することができる。
【００３３】
ところで、住人が室内に入り、玄関の近傍にいる場合、携帯機５から制御装置９へＩＤコードを送信可能状態にある。この状態で、携帯機５を所持していない第三者が、室外側から操作部１３を操作して解錠コードを入力すると、不正に解錠される恐れがある。しかしながら、解錠コードは、住人のみが知り得る情報であるので、他人が解錠することはできない。
【００３４】
このように、本実施例では、電気錠１７を解錠するためには、操作部１３の複数のタッチスイッチ部６７を特定の順序で操作して解錠コードを入力する必要があり、不正侵入を防止でき、安全性の高い施解錠システムとされる。
【００３５】
図６は、施錠する際の制御装置の動作を示すフローチャートであり、図７は、操作部を操作して施錠する場合の説明図である。
【００３６】
外出する場合には、携帯機５を所持し、室外側ハンドル３１に設けられた操作部１３を操作して施錠コードを入力する（Ｓ２１）。本実施例では、操作部１３の９つのタッチスイッチ部６７の内、「３，２，１，４，７」の数字が付された各タッチスイッチ部６７を、指をスライドさせて順に触れてなぞることで、５桁の施錠コードを入力することできる。
【００３７】
施錠コードが操作部１３により入力され、制御装置９の操作検出部５１が施錠コードを検出すると、制御装置９の認証部５３は、その施錠コードが施錠コード格納部４９の施錠コードと一致するか否かを判定する（Ｓ２２）。認証部５３が、施錠コードが間違っていると判定した場合には、制御装置９は、待機状態に戻る。
【００３８】
操作部１３により入力された施錠コードが、施錠コード格納部４９に格納された施錠コードと一致すると認証部５３が判定した場合、制御装置９は、送受信部４３により、ＩＤコード情報要求信号を発信する（Ｓ２３）。
【００３９】
携帯機５は、送受信部２５にてＩＤコード情報要求信号を受信した後、携帯機５のＣＰＵ２１は、ＩＤコード情報要求信号に対して、送受信部２５により自己のＩＤコード格納部２３に格納されたＩＤコードを発信する。
【００４０】
制御装置９は、携帯機５からのＩＤコードを送受信部４３にて受信する（Ｓ２４）。
制御装置９の認証部５３は、受信したＩＤコードが、ＩＤコード格納部４５に格納されているＩＤコードと一致するか否かを判定する（Ｓ２５）。
【００４１】
受信したＩＤコードが、ＩＤコード格納部４５に格納されているＩＤコードと一致すると認証部５３が判定した場合、制御装置９の駆動部５７は、電気錠１７に内蔵されたソレノイドやモータなどを駆動させてデッドボルト３５を突出させて施錠する（Ｓ２６）。
ＩＤコードが一致しない場合、および携帯機５からの応答がない場合には、操作部１３の操作は無効とされて、解錠状態が維持されて待機状態へ戻る。
【００４２】
本実施例では、解錠コードを入力する際、２つ以上のタッチスイッチ部６７を操作して入力する必要があり、解錠コードを知らない第三者は、解錠コードを入力することができず、セキュリティ性が高い。
また、本実施例では、操作部１３が静電容量式タッチスイッチにより構成されていることで、解錠コードや施錠コードを構成する数字が付されたアクリル板７１を介してタッチスイッチ部６７を指でなぞる一連の操作（スワイプ操作）で、解錠コードや施錠コードを入力することができる。つまり、本実施例では、解錠コードや施錠コードは、前記操作部１３の予め設定された複数個のタッチスイッチ部６７を、予め設定された順序でなぞられて入力され、各コードを入力しやすい。
【００４３】
本発明の施解錠システムは、上記実施例の構成に限らず、適宜変更可能である。
たとえば、上記実施例では、操作部１３は、ハンドル３１の正面側に取り付けられたが、ハンドル３１の裏面側に取り付けるようにしてもよい。操作部１３をハンドル３１の裏面側に設けることで、室外において解錠コードを入力する際に、第三者から見られるおそれがない。
【００４４】
また、操作部１３は、扉３に取り付けられたり、住宅の壁面に取り付けられたりしてもよい。また、上記実施例では、制御装置９は、扉３内に設けられたが、室内に設けられても構わない。
【００４５】
また、上記実施例では、操作部１３は、９つのタッチスイッチ部６７を有する構成とされたが、その構成は適宜変更可能である。たとえば、タッチスイッチ部６７の数を変更してもよい。また、上記実施例では、各タッチスイッチ部６７に数字を割り当てたが、アルファベット、各種記号または文字などを割り当てるようにしてもよい。
【００４６】
また、上記実施例では、解錠コードや施錠コードは５ケタとされたが、そのケタ数（構成文字数）は適宜変更可能である。この際、セキュリティ性を考慮して、２ケタ以上のコード、つまり、少なくとも２つ以上のタッチスイッチ部６７を操作する構成とするのが好ましい。
【００４７】
また、上記実施例では、操作部１３のアクリル板に数字を付したが、アクリル板に何も付さない構成としてもよい。この場合、たとえば、上下に離隔してタッチスイッチ部６７を３つ設け、これら３つのタッチスイッチ部を上から下に順になぞって解錠コードを入力する構成とすればよい。
【００４８】
また、上記実施例では、操作部１３は、静電容量式タッチセンサにより構成されたが、感圧式タッチセンサにより構成されてもよい。また、操作部１３は、テンキーにより構成されたり、タッチパネルにより構成されたりしてもよい。
操作部１３は、複数のスイッチ部を、スワイプ操作やフリック操作などのように、指でなぞる一連の連続的な動作で解錠コードを入力したり、複数のスイッチ部を、順に押し操作して解錠コードを入力したりする構成とすることができれば、その構成は適宜変更可能である。つまり、操作部１３は、所定箇所を所定順序でタッチ操作することで、解錠コードを入力可能な構成であれば、その構成は適宜変更可能である。
【００４９】
また、携帯機５に振動センサを内蔵する構成とし、振動センサが揺れを検知している状態でのみ、操作部１３の操作が有効とする構成とすることができる。
これにより、玄関に携帯機５を置き忘れた状態で、外側から操作部１３を操作して施錠コードを入力する際、振動センサが振動していないことで、施錠が不能となり、住人は携帯機５の置き忘れに気づくことができる。
【００５０】
さらに、上記実施例では、住人が外出する際、住人が操作部１３を操作することで、施錠する構成としたが、オートロック式としてもよい。つまり、閉扉状態を確認したのち、制御装置９が自動的に施錠する構成としてもよい。
【００５１】
また、上記実施例における電気錠は、操作部による解錠コードおよび施錠コードの入力により施解錠可能とされると共に、シリンダー部の鍵操作により施解錠可能としてもよいことはいうまでもない。さらに、電気錠のタイプは、ソレノイドやモータなどを駆動し、デッドボルトを出没させて施錠、解錠するタイプに限られず、その他のタイプのものでもよい。
【符号の説明】
【００５２】
３  扉
５  携帯機
９  制御装置
１３  操作部
【図１】
2015212481.tif 000003
【図２】
2015212481.tif 000004
【図３】
2015212481.tif 000005
【図４】
2015212481.tif 000006
【図５】
2015212481.tif 000007
【図６】
2015212481.tif 000008
【図７】
2015212481.tif 000009